(57)【要約】【課題】  他の端末の要求を受けてファイルの送信または受信を行う場合に、ユーザが意図しない間に電池容量がなくならないようにすることが可能な携帯端末を提供する。【解決手段】  携帯電話機ＭＳ１の制御部１０１は、電源制御部１０１ａから電池残量情報を受けると、現在の電池残量が予め定めた電池残量以下であるかを判断する（Ｓ１０５）。そして、予め定めた電池残量以下であると判断した場合には（Ｓ１０５、Ｙｅｓ）、要求側の携帯電話機ＭＳ２からのセッション要求を拒否すべく、セッション開始を拒否する旨の応答を管理部ＳＶを介して要求側携帯電話機ＭＳ２に対して送信する（Ｓ１０６、Ｓ１０７）。その後、携帯電話機ＭＳ１から要求側携帯電話機ＭＳ２に対してコンテンツを送信する（Ｓ１１２）。【選択図】  図５
2008219274.tif 000002
【特許請求の範囲】
【請求項１】
コンテンツを記憶する記憶手段と、
前記記憶手段に記憶されたコンテンツの送信要求を受信する受信手段と、
前記コンテンツの送信要求を受信すると、電池残量を測定し、測定した電池残量が予め定められた所定の値以下である場合に、前記コンテンツの送信要求に対して拒否するように制御する制御手段と
を有することを特徴とする携帯端末。
【請求項２】
前記制御手段は、
前記コンテンツの送信要求を受信すると、電池残量を測定し、測定した電池残量が予め定められた所定の値より上回る場合に、コンテンツの送信を許容する旨の応答を送信し、  更に前記記憶手段に記憶された、コンテンツを送信する送信手段
を有することを特徴とする請求項１に記載の携帯端末。
【請求項３】
前記記憶手段は、更にコンテンツの送信を許容する相手情報を記憶することができ、
前記制御手段は、
前記コンテンツの送信要求を受信すると、前記記憶手段に記憶された相手情報からの要求であるか否か、及び電池残量に基づいて、コンテンツの送信要求に対する拒否又は許容するかを決定することを特徴とする請求項１に記載の携帯端末。
【請求項４】
前記制御手段は、
前記送信要求されたコンテンツのサイズに応じて前記予め定められた所定の値を変えて拒否の判断を制御することを特徴とする請求項１に記載の携帯端末。
【請求項５】
外部機器からのコンテンツの受信要求を受信する受信手段と、
前記コンテンツの受信要求を受信すると、電池残量を測定し、測定した電池残量が予め定められた所定の値以下である場合に、前記コンテンツの受信要求に対して拒否するように制御する制御手段と
を有することを特徴とする携帯端末。
【請求項６】
外部機器からのコンテンツの受信要求を受信する受信手段と、
コンテンツの送信を許容する相手情報を記憶する記憶手段と、
前記コンテンツの送信要求を受信すると、前記記憶手段に記憶された相手情報からの要求であるか否か、及び電池残量に基づいて、コンテンツの送信要求に対する拒否又は許容するかを決定する制御手段と
を有することを特徴とする携帯端末。
【発明の詳細な説明】
【技術分野】
【０００１】
本発明は、他の端末との間で通信を行う携帯端末に関する。
【背景技術】
【０００２】
近年、携帯端末等の情報処理装置においてＩＭＳ（ＩＰ  Ｍｕｌｔｉｍｅｄｉａ  Ｓｕｂｓｙｓｔｅｍ）の規格が搭載されており、仲間同士でメッセージをやり取りしたりするなど、リアルタイムに情報をサーバに登録して、その情報を仲間同士で共有して現在の状況を相互に通知し合う技術があった（特許文献１参照）。
【特許文献１】特開２００１−２４４９２８号公報
【発明の開示】
【発明が解決しようとする課題】
【０００３】
以上のようなＩＭＳを利用した機能として、プレゼンス情報通知機能が使用されている。このプレゼンス情報通知機能では、利用者が現在望んでいる通信手段をプレゼンス情報として通知し合うことにより、より親密なコミュニケーションを実現することが可能であると思われる。更にこの機能を発展させた場合に、ファイルの送受信を行うことも可能となり、そのファイル送受信は携帯端末の他の機能の動作を行っている間のバックグラウンドにおいてもファイルを送受信できるようになる可能性もある。
【０００４】
しかしながら、ファイルの送受信を行う場合には多かれ少なかれ電力を消費することは間違いない。例えば、上記ファイルの送受信機能を他の端末の要求を受けて行う場合においては、ユーザが意図しないところでファイルの送受信が行われることにより電力が消費することもありうることになる。そうなると、ユーザが意図しない間に、電池容量がなくなってしまうこともある。
【０００５】
本発明は、上記課題を鑑みなされたもので、他の端末の要求を受けてファイルの送信または受信を行う場合に、ユーザが意図しない間に電池容量がなくならないようにすることが可能な携帯端末を提供することを目的とする。
【課題を解決するための手段】
【０００６】
上記課題を解決するために、本発明に係る携帯端末は、コンテンツを記憶する記憶手段と、前記記憶手段に記憶されたコンテンツの送信要求を受信する受信手段と、前記コンテンツの送信要求を受信すると、電池残量を測定し、測定した電池残量が予め定められた所定の値以下である場合に、前記コンテンツの送信要求に対して拒否するように制御する制御手段とを備えたことを特徴とする。
【発明の効果】
【０００７】
本発明によると、他の端末の要求を受けてファイルの送信または受信を行う場合に、ユーザが意図しない間に電池容量がなくならないようにすることが可能となる。
【発明を実施するための最良の形態】
【０００８】
以下に、本発明を携帯電話機に適用した場合における一つの実施の形態を、図面を用いて説明する。図１は、本発明の携帯電話機を用いた通信システムの一つの形態の概要を示した図である。
【０００９】
本システムの携帯電話機ＭＳ１は、例えば、携帯電話機ＭＳ２（又は電子機器ＰＣ）と通信を行う場合、以下の２つの方法で行うことができる。まず第１の通信方法としては、例えばＳＩＰ（Session Initiation Protocol）などのプロトコルで通信される管理部Ｓ
Ｖ（例えばＳＩＰサーバ）に管理されながら（管理部ＳＶを介して）通信を行う方法であり、第２の通信方法としては例えば、携帯電話機ＭＳ１と携帯電話機ＭＳ２とが直接通信を行う方法であり、管理部ＳＶに管理されずに（管理部ＳＶを介さずに）通信を行う方法である。例えば、携帯電話機ＭＳ１が、携帯電話機ＭＳ２に対して第１の通信方法を用いてデータを送信する場合は、基地局ＢＳ１、携帯電話網ＮＷ１、ネットワークＮＷ２などを経由して、管理部ＳＶに対して携帯電話機ＭＳ２に対して当該データを送信するように要求する。要求を受けた管理部ＳＶは携帯電話機ＭＳ２に対してネットワークＮＷ２、携帯電話網ＮＷ１、基地局ＢＳ２などを経由して、携帯電話機ＭＳ２に対して当該データを送信する。また、例えば、携帯電話機ＭＳ１から電子機器ＰＣへデータを送信するときも同様である。
【００１０】
また、例えば、携帯電話機ＭＳ１が第２の通信方法を用いて携帯電話機ＭＳ２へデータを送信する場合には、携帯電話機ＭＳ１から基地局ＢＳ１、携帯電話網ＮＷ１、基地局ＢＳ２などを経由して携帯電話機ＭＳ２に対してデータを送信する。
【００１１】
図２、図３は携帯電話機ＭＳ１の外観を示した図であり、また図４は携帯電話機ＭＳ１のブロック図を示したものである。  
まず、携帯電話機ＭＳ１の構造を図２と図３を用いて説明する。図２は、携帯電話機ＭＳ１を約１８０度開いた時の外観図である。図２（Ａ）は正面から見た図、図２（Ｂ）は側面から見た図である。
【００１２】
次に、図３は携帯電話機ＭＳ１を閉じた時の図である。図３（Ａ）は正面から見た図、図３（Ｂ）は側面から見た図である。携帯電話機ＭＳ１は上筐体部２と下筐体部４がヒンジ部３を介して接続されており、上筐体部２にはＬＣＤなどのディスプレイ５、受信した音声を発声するレシーバ９、携帯電話機ＭＳ１の状態を検知するための磁気センサ１１ａ、１１ｃ、カメラ１２、及びＬＣＤなどのサブディスプレイ１３を有している。そして、ディスプレイ５、及びカメラ１２は上筐体部２の同一の面上に備えられている。また、下筐体部４には、数字、文字、携帯電話機ＭＳ１の操作等を入力するためのキー６、更には携帯電話機ＭＳ１の操作を行うサイドキー７、集音するためのマイク（送話口）８、及び携帯電話機ＭＳ１の状態を検知するための磁気センサ１１ｂ、１１ｄを有している。
【００１３】
図４は、携帯電話機ＭＳ１の構成を簡潔に示したブロック図である。携帯電話機ＭＳ１の内部には、携帯電話機ＭＳ１全体の制御を行う制御部１０１と、マイク制御部１０８と、スピーカ１０９と、カメラ１２を制御するカメラ制御部１１２と、ＲＯＭ又はＮＡＮＤメモリなどで構成される不揮発性の記憶部１１５と、一時的に記憶する揮発性のＲＡＭ１１１と、ディスプレイ５を表示制御する第１表示制御部１１３と、サブディスプレイ１３を表示制御する第２表示制御部１０５と、キー６、サイドキー７の押下を認識する操作部１０６と、アンテナ１１７を用いて無線通信制御を行う無線通信部１１６とを備えている。制御部１０１によって全体が制御されており、電源制御部１０１ａは、携帯電話機ＭＳ１の電池残量を測定する制御を行うことができる。
【００１４】
記憶部１１５は、制御部１０１が実行するプログラム、各種の情報データなどが保存されており、コンテンツ記憶部１０５ａには、他の携帯電話機と共有を許可する音楽データ（着信音データなど）、画像データ、動画データなどのコンテンツ及びそのコンテンツのリストが記憶されている。また、許可メンバ記憶部１０５ｂには、電池残量を考慮せずにコンテンツ記憶部１０５ａに記憶されたコンテンツを送信したり、外部からコンテンツを受信したりすることを許容するメンバの情報（名前情報、電話番号情報、ユーザＩＤ情報、メールアドレス情報、ＩＰアドレス情報などのうち１つ又は複数）が記憶される。
【００１５】
第２表示制御部１０５は、サブディスプレイ１３を表示制御するものであり、制御部１０１から出力命令される表示データを表示制御する。
【００１６】
第１表示制御部１１３は、ディスプレイ５を表示制御するものであり、制御部１０１から出力命令される表示データを表示制御する。
【００１７】
無線通信部１１６は、制御部１０１によって命令された情報を、無線通信によってアンテナ１１７を介して送信したり、サーバより無線通信によって送られた情報をアンテナ１１７を介して受信したりする機能を有する。
【００１８】
カメラ制御部１１２は、制御部１０１によって起動され、カメラ１２から入力された画像は、表示制御部１１３を通じてディスプレイ５などに表示される。
【００１９】
操作部１０６は、キー６及びサイドキー７の押下を認識するキー入力部を有する。操作部１０６は、数字キーや文字キー、メール編集の決定・中止などのファンクションキーを
含む複数のキーの押下をそれぞれ認識することができ、利用者が入力操作したキー６の入力に応じて、キーを識別する識別信号を制御部１０１へ通知し、制御部１０１がそのキーの押下に対応する動作を開始する。
【００２０】
また、前述のとおり、上筐体部２及び下筐体部４には、上筐体部２、下筐体部４の状態を検出するためのセンサ１１ａ〜１１ｄが設けられている。これらのセンサ１１ａ〜１１ｄは例えば磁気センサにより構成され、センサ同士が一定の距離内で接近した状態で検出信号を出力する。上記各センサ１１ａ〜１１ｄのうち、センサ１１ａと１１ｂとの対は、上筐体部２及び下筐体部４が重なり合っているか否かを検出し、センサ１１ｃと１１ｄとの対は、上筐体部２及び下筐体部４が重なり合っている場合に、上筐体部２と下筐体部４とがディスプレイ５が内向きの状態（例えば図３の状態）で重なっているか、サブディスプレイ１３が内向きの状態（ディスプレイ５は外向きの状態）で重なっているか否かを主に検出する。
【００２１】
（第１の実施例）
以上のように構成された携帯電話機ＭＳ１が別の携帯電話機ＭＳ２（または電子機器ＰＣ）からデータ転送要求（コンテンツ転送要求）を受けた場合における動作の例を携帯電話機ＭＳ１が携帯電話機ＭＳ２からデータ転送要求を受けた場合を例にとって説明する。
【００２２】
図５はその動作を示したフローチャートである。なお、以降のフローチャートにおいて、基地局ＢＳ１、基地局ＢＳ２、携帯電話網ＮＷ１、ネットワークＮＷ２については、図示せず省略する。
【００２３】
図５において、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れを記す。
【００２４】
まず、携帯電話機ＭＳ２において、キー６などによって携帯電話機ＭＳ１に対して、特定のコンテンツを携帯電話機ＭＳ１から携帯電話機ＭＳ２へ転送させるための操作がなされた場合、そのコンテンツ転送要求を行うためのセッション開始要求を前述の第１の通信方法によって管理部ＳＶを介して携帯電話機ＭＳ１へ要求する（Ｓ１０１、Ｓ１０２）。
【００２５】
なお、セッション開始要求には、転送要求する旨の情報、携帯電話機ＭＳ２を識別するためのＩＤ（電話番号など）や、転送要求するコンテンツの情報（ファイル名、ファイルサイズなど）、のうちの一部または全部が含まれている。なお、特定のコンテンツの転送させる選択方法については後述する。
【００２６】
次に、携帯電話機ＭＳ１の制御部１０１は、無線通信部１０６を介して、当該セッション開始要求を受信したことを契機に、電源制御部１０１ａに対して、電池残量の値を要求する（Ｓ１０３）。電源制御部１０１ａは、制御部１０１からの電池残量の値の要求を受け、その時点での電池残量を測定し、電池残量情報を制御部１０１へ返す（Ｓ１０４）。
【００２７】
携帯電話機ＭＳ１の制御部１０１は、電源制御部１０１ａから電池残量情報を受けると、現在の電池残量が予め定めた電池残量以下であるかを判断する（Ｓ１０５）。そして、予め定めた電池残量以下であると判断した場合には（Ｓ１０５、Ｙｅｓ）、要求側の携帯電話機ＭＳ２からのセッション要求を拒否すべく、セッション開始を拒否する旨の応答を管理部ＳＶを介して要求側携帯電話機ＭＳ２に対して送信する（Ｓ１０６、Ｓ１０７）。
【００２８】
また、携帯電話機ＭＳ１の制御部１０１は、Ｓ１０５において、予め定めた電池残量以下ではないと判断した場合には（Ｓ１０５、Ｎｏ）、セッション開始要求に対してそれを受け入れるためのセッション開始応答を管理部ＳＶを介して要求側携帯電話機ＭＳ２に対して送信する（Ｓ１０８、Ｓ１０９）。これにより、管理部ＳＶに対して携帯電話機ＭＳ１と携帯電話機ＭＳ２とが（第２の通信方法により）通信を行っている旨を管理することができる。
【００２９】
そして、携帯電話機ＭＳ１の制御部１０１はコンテンツ記憶部１０５ａから該当するコンテンツの読み出しを行う（Ｓ１１０、Ｓ１１１）。そして、制御部１０１は、当該読み出したコンテンツを無線通信部１１６を介して要求側携帯電話機ＭＳ２に対して、第２の通信方法によって管理部ＳＶを介さずにコンテンツを送信する（Ｓ１１２）。
【００３０】
次に、携帯電話機ＭＳ２は、Ｓ１１２において送信したコンテンツの送信が終わると、セッションを終了すべく、管理部ＳＶを介して、第１の通信方法によってセッション終了要求を携帯電話機ＭＳ１に対して送信する（Ｓ１１３、Ｓ１１４）。そして、携帯電話機ＭＳ１の制御部１０１は、当該セッション終了要求を受けると、それに対してセッション終了応答を管理部ＳＶを介して携帯電話機ＭＳ２に対して送信する（Ｓ１１５、１１６）。これにより、管理部ＳＶにおいて、携帯電話機ＭＳ１と携帯電話機ＭＳ２とのセッションが終了した旨を認識することができる。
【００３１】
以上の図５のフローチャートの流れによって要求側携帯電話機ＭＳ２が携帯電話機ＭＳ１に対してコンテンツの転送を要求した場合の流れを説明したが、上記コンテンツの転送を要求する際に、特定のコンテンツを選択する方法については、図５のフローチャートを実行する以前に、図６のフローチャートによって実施することが望ましい。以下図６は携帯電話機ＭＳ２が携帯電話機ＭＳ１が記憶している共有可能コンテンツのリストを受信するフローチャートである。
【００３２】
携帯電話機ＭＳ２において、キー６などによって携帯電話機ＭＳ１に対して、共有可能なコンテンツのリストを携帯電話機ＭＳ１から携帯電話機ＭＳ２へ転送させるための操作がなされた場合、図５に示したＳ１０１乃至Ｓ１０９を同様の動作で、コンテンツリストの転送要求を行うためのセッション開始の手続を行う。
【００３３】
そして、携帯電話機ＭＳ１の制御部１０１は、無線通信部１１６を介して、コンテンツリストの転送要求を受信したことを契機に、コンテンツ記憶部１０５ａから該当するコンテンツリストの読み出しを行う（Ｓ１２１、Ｓ１２２）。そして、制御部１０１は、当該読み出したコンテンツリストを無線通信部１１６を介して要求側携帯電話機ＭＳ２に対して、第２の通信方法によって管理部ＳＶを介さずにコンテンツリストを送信する（Ｓ１２３）。
【００３４】
次に、携帯電話機ＭＳ１の制御部１０１は、Ｓ１２３において送信したコンテンツリストの送信が終わると、セッションを終了すべく図５のフローチャートに示したＳ１１３乃至Ｓ１１６と同様のフローによってセッションを終了させる。
【００３５】
次に、要求側携帯電話機ＭＳ２は、Ｓ１２３において受信したリストを表示し、その表示されたコンテンツリストからキー６を用いて選択されることによって、図５における特定のコンテンツを選択することができる。
【００３６】
（第２の実施例）
次に、携帯電話機ＭＳ１が別の携帯電話機ＭＳ２（または電子機器ＰＣ）からデータ転送要求（コンテンツ転送要求）を受けた場合における動作の第２の実施例を携帯電話機ＭＳ１が携帯電話機ＭＳ２からデータ転送要求を受けた場合を例にとって説明する。
【００３７】
図７は、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れを記したフローチャートである。なお、図５と同じ動作の場合は、同じステップの番号を示しており、その説明を省略する。
【００３８】
まず、携帯電話機ＭＳ２において、キー６などによって携帯電話機ＭＳ１に対して、特定のコンテンツを携帯電話機ＭＳ１から携帯電話機ＭＳ２へ転送させるための操作がなされた場合、そのコンテンツ転送要求を行うためのセッション開始要求を前述の第１の通信方法によって管理部ＳＶを介して携帯電話機ＭＳ１へ要求する（Ｓ１０１、Ｓ１０２）。
【００３９】
なお、セッション開始要求には、転送要求する旨の情報、携帯電話機ＭＳ２を識別するためのＩＤ（電話番号など）や、転送要求するコンテンツの情報（ファイル名、ファイルサイズなど）、のうちの一部または全部が含まれている。なお、特定のコンテンツの転送させる選択方法については図６によって示した方法を用いて選択するのが一例である。
【００４０】
次に、携帯電話機ＭＳ１の制御部１０１は、無線通信部１０６を介して、当該セッション開始要求を受信したことを契機に、許可メンバ記憶部１０５ｂから、記憶されている許可メンバの情報を読み出して（Ｓ２０２）、セッション開始要求に含まれている要求元（ここでは携帯電話機ＭＳ２）の携帯電話機が許可メンバに含まれているか否かを判断する（Ｓ２０１）。
【００４１】
そして、許可メンバに含まれていないと判断した場合（Ｓ２０１、Ｎｏ）、要求側の携帯電話機ＭＳ２からのセッション要求を拒否すべく、セッション開始を拒否する旨の応答を管理部ＳＶを介して第１の通信方法によって要求側携帯電話機ＭＳ２に対して送信する（Ｓ２０３、Ｓ２０４）。
【００４２】
また、許可メンバに含まれていると判断した場合（Ｓ２０１、Ｙｅｓ）、電源制御部１０１ａに対して、電池残量の値を要求する（Ｓ１０３）。以降は、図５に示したＳ１０３乃至Ｓ１１６と同様の動作を行う。
【００４３】
なお、本実施例のＳ２０１の許可メンバに含まれるか否かの判断は、図示しない電話帳に記憶されているメンバからの要求があった場合は許可メンバであると判断し、電話帳に記憶されていないメンバからの要求があった場合は許可メンバではないと判断する方法でもよい。また、許可メンバ記憶部１１５ｂに記憶される許可メンバの情報は個人ごとに設定してもかまわないし、グループ単位で設定してもかまわない。
【００４４】
（第３の実施例）
次に、要求側携帯電話機ＭＳ２（または電子機器ＰＣ）から携帯電話機ＭＳ１に対してデータ送信要求（コンテンツ転送要求）を受けた場合（あるいは携帯電話機ＭＳ２から携帯電話機ＭＳ１へ発呼して、携帯電話機ＭＳ２が発呼に先立ちコンテンツを送信して当該コンテンツを着信音として携帯電話機ＭＳ１側で鳴動させる場合）における動作を説明する。
【００４５】
図８は、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れ（携帯電話機ＭＳ２から携帯電話機ＭＳ１へ発呼して、携帯電話機ＭＳ２が発呼に先立ちコンテンツを送信して当該コンテンツを着信音として携帯電話機ＭＳ１側で鳴動させる場合）を記したフローチャートである。
【００４６】
まず、携帯電話機ＭＳ２において、キー６などによって携帯電話機ＭＳ１に対して、発呼を行う操作および、発呼先の携帯電話機ＭＳ１における呼出音（着信音）として鳴動させるコンテンツを選択する操作がなされると（図８「発呼操作、コンテンツ選択」）、そのコンテンツ送信要求を行うためのセッション開始要求を前述の第１の通信方法によって管理部ＳＶを介して携帯電話機ＭＳ１へ要求する（Ｓ３０１、Ｓ３０２）。なお、セッション開始要求には、送信要求する旨の情報、携帯電話機ＭＳ２、ＭＳ１を識別するためのＩＤ（電話番号など）や、送信するコンテンツの情報（ファイル名、ファイルサイズなど）、のうちの一部または全部が含まれている。
【００４７】
次に、携帯電話機ＭＳ１の制御部１０１は、無線通信部１０６を介して、当該セッション開始要求を受信したことを契機に、許可メンバ記憶部１０５ｂから、記憶されている許可メンバの情報を読み出して（Ｓ３０４）、セッション開始要求に含まれている要求元（ここでは携帯電話機ＭＳ２）の携帯電話機が許可メンバに含まれているか否かを判断する（Ｓ３０３）。
【００４８】
そして、許可メンバに含まれていないと判断した場合（Ｓ３０３、Ｎｏ）、要求側の携帯電話機ＭＳ２からのセッション要求を拒否すべく、セッション開始を拒否する旨の応答を管理部ＳＶを介して第１の通信方法によって要求側携帯電話機ＭＳ２に対して送信する（Ｓ３０５、Ｓ３０６）。
【００４９】
また、許可メンバに含まれていると判断した場合（Ｓ３０３、Ｙｅｓ）、電源制御部１０１ａに対して、電池残量の値を要求する（Ｓ３０７）。電源制御部１０１ａは、制御部１０１からの電池残量の値の要求を受け、その時点での電池残量を測定し、電池残量情報を制御部１０１へ返す（Ｓ３０８）。
【００５０】
携帯電話機ＭＳ１の制御部１０１は、電源制御部１０１ａから電池残量情報を受けると、現在の電池残量が予め定めた電池残量以下であるかを判断する（Ｓ３０９）。そして、予め定めた電池残量以下であると判断した場合には（Ｓ３０９、Ｙｅｓ）、要求側の携帯電話機ＭＳ２からのセッション要求を拒否すべく、セッション開始を拒否する旨の応答を管理部ＳＶを介して要求側携帯電話機ＭＳ２に対して送信する（Ｓ３１０、Ｓ３１１）。
【００５１】
また、携帯電話機ＭＳ１の制御部１０１は、Ｓ３０９において、予め定めた電池残量以下ではないと判断した場合には（Ｓ３０９、Ｎｏ）、セッション開始要求に対してそれを受け入れるためのセッション開始応答を管理部ＳＶを介して要求側携帯電話機ＭＳ２に対して送信する（Ｓ３１２、Ｓ３１３）。これにより、管理部ＳＶに対して携帯電話機ＭＳ１と携帯電話機ＭＳ２とが（第２の通信方法により）通信を行っている旨を管理することができる。
【００５２】
次に、要求側の携帯電話機ＭＳ２は、携帯電話機ＭＳ１からキー６によって選択されたコンテンツを送信するために、Ｓ３１３においてセッション開始応答を受信すると、そのセッション開始応答に含まれるアドレスに基づいて、コンテンツを第２の通信方法により管理部ＳＶを介さずに携帯電話機ＭＳ１に対して送信する（Ｓ３１４）。
【００５３】
そして、携帯電話機ＭＳ１の制御部１０１は、無線通信部１１６を介して、コンテンツを受信したことを契機に、コンテンツ記憶部１０５ａに対して当該受信したコンテンツを逐次記憶する（Ｓ３１５）。なお、受信したコンテンツは、すぐ着信音として用いるため、ＲＡＭ１１１に記憶してもよい。
【００５４】
次に、要求側携帯電話機ＭＳ１（の制御部１０１）は、Ｓ３１４において受信したコンテンツの受信が終わると、セッションを終了すべく、管理部ＳＶを介して、第１の通信方法によってセッション終了要求を携帯電話機ＭＳ２に対して送信する（Ｓ３１６、Ｓ３１７）。そして、携帯電話機ＭＳ２は、当該セッション終了要求を受けると、それに対してセッション終了応答を管理部ＳＶを介して携帯電話機ＭＳ１に対して送信する。これにより、管理部ＳＶにおいて、携帯電話機ＭＳ１と携帯電話機ＭＳ２とのセッションが終了した旨を認識することができる。
【００５５】
その後、セッションが終了すると、要求側携帯電話機ＭＳ２から携帯電話機ＭＳ１に対して、携帯電話網ＮＷ１を通じて発呼動作が行われ（Ｓ３２０）、携帯電話機ＭＳ１の制御部１０１は、携帯電話機ＭＳ２からの発呼信号を受信すると、Ｓ３１４において受信したコンテンツの再生を行い（あらかじめ設定された着信音・着信動画像・着信画像に優先して、受信したコンテンツを着信音・着信動画像・着信画像として用いる）、着呼を携帯電話機ＭＳ１のユーザに知らせることができる。なお、あらかじめ送られてくるコンテンツは、着信音・着信動画・着信画像のほかのコンテンツであってもよい。
【００５６】
また、たとえば、あらかじめ携帯電話機ＭＳ２からの着信の際に携帯電話機ＭＳ１に定められていた、着信表示画像、着信音が存在した場合において、当該図８における送信コンテンツとして、着信音のみが送られてきた場合は、着信音は受信したコンテンツ（着信音）を鳴動し、着信表示画像はあらかじめ設定されていたものを表示してもよい。
【００５７】
（第４の実施例）
次に、要求側携帯電話機ＭＳ２（または電子機器ＰＣ）から携帯電話機ＭＳ１に対してデータ送信要求（コンテンツ転送要求）を受けた場合（あるいは携帯電話機ＭＳ２から携帯電話機ＭＳ１へ発呼して、携帯電話機ＭＳ２が発呼に先立ちコンテンツを送信して当該コンテンツを着信音として携帯電話機ＭＳ１側で鳴動させる場合）における別の実施例を説明する。
【００５８】
図９は、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れ（携帯電話機ＭＳ２から携帯電話機ＭＳ１へ発呼して、携帯電話機ＭＳ２が発呼に先立ちコンテンツを送信して当該コンテンツを着信音として携帯電話機ＭＳ１側で鳴動させる場合）を記したフローチャートである。なお、図８と同じ符号を付したステップは同じ動作を行うため、その説明を省略する。
【００５９】
図９において、Ｓ３０１乃至Ｓ３１３までの動作は図８と同じである。次に、要求側の携帯電話機ＭＳ２は、携帯電話機ＭＳ１からキー６によって選択されたコンテンツを送信するために、Ｓ３１３においてセッション開始応答を受信すると、そのセッション開始応答に含まれるアドレスに基づいて、コンテンツを第２の通信方法により管理部ＳＶを介さずに携帯電話機ＭＳ１に対して送信する（Ｓ３４０）。
【００６０】
そして、携帯電話機ＭＳ１の制御部１０１は、無線通信部１１６を介して、コンテンツを受信したことを契機に、コンテンツ記憶部１０５ａに対して当該受信したコンテンツを逐次記憶する（Ｓ３４１）。そして、Ｓ３４０及びＳ３４１のコンテンツ送信ステップ、及び記憶ステップにおいて、携帯電話機ＭＳ１の制御部１０１はコンテンツ受信拒否条件を満たしているか否かを判断する（Ｓ３５０）。
【００６１】
このファイル受信拒否条件は、携帯電話機ＭＳ１がコンテンツを受信する際に、コンテンツ記憶部１０５ａにおいて記憶されているコンテンツと一致するか否かを判断することにより、携帯電話機ＭＳ２より送られてくるコンテンツと既にコンテンツ記憶部１１５ａに記憶されているコンテンツとが一致している場合に無駄な送信を避けるために、一致している場合には携帯電話機ＭＳ２からのコンテンツ送信を途中で拒否する目的がある。Ｓ３５０におけるコンテンツの一致（拒否条件に該当するか）は以下の方法のいずれか、及び複数の条件で判断する。  
（１）送られてくるコンテンツの先頭のヘッダ（及びその後に送られてくるいくつかのデータ）において、コンテンツ記憶部１１５ａに記憶されているコンテンツのヘッダと比較し、ファイル名が同じであるか否かで判断する。  
（２）送られてくるコンテンツの先頭のヘッダ（及びその後に送られてくるいくつかのデータ）において、コンテンツ記憶部１１５ａに記憶されているコンテンツのヘッダと比較し、データが同じであるか否かで判断する。  
（３）同じ電話機からの送信であるか否か（セッション開始要求の際に受信した情報を用いる）で判断する。
【００６２】
そして、Ｓ３５０の拒否条件に該当しないと判断した場合は（Ｓ３５０、Ｎｏ）、図８のフローチャートと同様に、携帯電話機ＭＳ１はコンテンツを最後まで受信し、Ｓ３１６以降（Ｓ３１６乃至Ｓ３２０）の動作と同じ動作を行う。また、Ｓ３５０の拒否条件に該当すると判断した場合は（Ｓ３５０、Ｙｅｓ）、同じコンテンツを受信する必要がないため、要求側携帯電話機ＭＳ２に対してセッション終了要求を第１の通信方式によって、管理部ＳＶを介して送信する（Ｓ３５１、Ｓ３５２）。
【００６３】
そして、要求側携帯電話機ＭＳ２は、当該セッション終了要求を受けると、それに対してセッション終了応答を管理部ＳＶを介して携帯電話機ＭＳ１に対して送信する。これにより、管理部ＳＶにおいて、携帯電話機ＭＳ１と携帯電話機ＭＳ２とのセッションが終了した旨を認識することができる。
【００６４】
その後、セッションが終了すると、要求側携帯電話機ＭＳ２から携帯電話機ＭＳ１に対して、携帯電話網ＮＷ１を通じて発呼動作が行われ（Ｓ３５５）、携帯電話機ＭＳ１の制御部１０１は、携帯電話機ＭＳ２からの発呼信号を受信すると、Ｓ３５０において同じであると判断した、コンテンツ記憶部１１５ａに記憶されているコンテンツの再生を行い（着信の報知のコンテンツとして用いる）、着呼を携帯電話機ＭＳ１のユーザに知らせることができる。
【００６５】
なお、図８のフローチャートの説明の際と同様に、たとえば、あらかじめ携帯電話機ＭＳ２からの着信の際に携帯電話機ＭＳ１に定められていた、着信表示画像、着信音が存在した場合において、当該図９における送信コンテンツとして、着信音のみが送られてきた場合は、着信音は受信したコンテンツ（着信音）を鳴動し、着信表示画像はあらかじめ設定されていたものを表示してもよい。
【００６６】
（第５の実施例）
次に、携帯電話機ＭＳ１が別の携帯電話機ＭＳ２（または電子機器ＰＣ）からデータ転送要求（コンテンツ転送要求）を受けた場合における動作の別の例を携帯電話機ＭＳ１が携帯電話機ＭＳ２からデータ転送要求を受けた場合を例にとって説明する。図１０はその動作を示したフローチャートである。
【００６７】
図１０において、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れを記す。
【００６８】
まず、携帯電話機ＭＳ２において、キー６などによって携帯電話機ＭＳ１に対して、特定のコンテンツを携帯電話機ＭＳ１から携帯電話機ＭＳ２へ転送させるための操作がなされた場合（たとえば図６示した方法）、そのコンテンツ転送要求を行うためのセッション開始要求を前述の第１の通信方法によって管理部ＳＶを介して携帯電話機ＭＳ１へ要求する（Ｓ１０１、Ｓ１０２）。ここまでは図５に示した方法と同じである。なお、セッション開始要求には、転送要求する旨の情報、携帯電話機ＭＳ２を識別するためのＩＤ（電話番号など）や、転送要求するコンテンツの情報（ファイル名以外の情報）のうちの一部または全部と、転送要求するコンテンツの情報（ファイル名）とが含まれている。
【００６９】
次に、携帯電話機ＭＳ１の制御部１０１は、無線通信部１０６を介して、当該セッション開始要求を受信したことを契機に、電源制御部１０１ａに対して、電池残量の値を要求する（Ｓ４０１）。電源制御部１０１ａは、制御部１０１からの電池残量の値の要求を受け、その時点での電池残量を測定し、電池残量情報を制御部１０１へ返す（Ｓ４０２）。
【００７０】
次に、コンテンツ記憶部１１５ａに対して、セッション開始要求含まれている、転送要求されたコンテンツのファイル名に基づいて、当該ファイル名のファイルサイズの情報を要求し（Ｓ４０３）、そのサイズの情報を読み出す（Ｓ４０４）。なお、セッション開始要求にファイルサイズの情報が含まれている場合においては、Ｓ４０３とＳ４０４は実行しなくてもよい。
【００７１】
次に、Ｓ４０２において読み出した電池残量情報と、Ｓ４０４において読み出したファイルサイズ情報とに基づいてコンテンツ転送に必要な十分な電力があるか否かを判断する（Ｓ４０５）。この十分な電力があるか否かの判断は、以下のように求める。
【００７２】
図１２は十分な電力があるかの判断に用いる表である。たとえば、Ｓ４０４において読み出したファイルサイズが７０ＭＢであれば、電池残量情報は８レベル以上（たとえば電池フルのレベルが２０レベルとした場合における４０％以上の残量あり）であれば、十分な電力があると判断する。なお、この図１２に示した値はこれに限定されない。
【００７３】
そして、携帯電話機ＭＳ１の制御部１０１は、Ｓ４０５において、十分な電力がないと判断した場合には（Ｓ４０５、Ｎｏ）、要求側の携帯電話機ＭＳ２からのセッション要求を拒否すべく、セッション開始を拒否する旨の応答を管理部ＳＶを介して要求側携帯電話機ＭＳ２に対して送信する（Ｓ４０６、Ｓ４０７）。
【００７４】
また、携帯電話機ＭＳ１の制御部１０１は、Ｓ４０５において、十分な電力があると判断した場合には（Ｓ４０５、Ｙｅｓ）、セッション開始要求に対してそれを受け入れるためのセッション開始応答を管理部ＳＶを介して要求側携帯電話機ＭＳ２に対して送信する（Ｓ４０８、Ｓ４０９）。これにより、管理部ＳＶに対して携帯電話機ＭＳ１と携帯電話機ＭＳ２とが（第２の通信方法により）通信を行っている旨を管理することができる。
【００７５】
そして、携帯電話機ＭＳ１の制御部１０１は、無線通信部１１６を介して、コンテンツ記憶部１０５ａから該当するコンテンツの読み出しを行う（Ｓ４１０、Ｓ４１１）。そして、制御部１０１は、当該読み出したコンテンツを無線通信部１１６を介して要求側携帯電話機ＭＳ２に対して、第２の通信方法によって管理部ＳＶを介さずにコンテンツを送信する（Ｓ４１２）。
【００７６】
次に、携帯電話機ＭＳ２は、Ｓ４１２において受信したコンテンツの送信が終わると、セッションを終了すべく、管理部ＳＶを介して、第１の通信方法によってセッション終了要求を携帯電話機ＭＳ１に対して送信する（Ｓ４１３、Ｓ４１４）。そして、携帯電話機ＭＳ１は、当該セッション終了要求を受けると、それに対してセッション終了応答を管理部ＳＶを介して携帯電話機ＭＳ２に対して送信する。これにより、管理部ＳＶにおいて、携帯電話機ＭＳ１と携帯電話機ＭＳ２とのセッションが終了した旨を認識することができる。
【００７７】
（第６の実施例）
次に、携帯電話機ＭＳ１が別の携帯電話機ＭＳ２（または電子機器ＰＣ）からデータ転送要求（コンテンツ転送要求）を受けた場合における動作の別の例を携帯電話機ＭＳ１が携帯電話機ＭＳ２からデータ転送要求を受けた場合を例にとって説明する。図１１はその動作を示したフローチャートである。
【００７８】
図１１において、コンテンツ記憶部１１５ａ、電源制御部１０１ａ、及び制御部１０１（これらは携帯電話機ＭＳ１の構成）、管理部ＳＶ、（要求側）携帯電話機ＭＳ２についての流れを記す。
【００７９】
まず、携帯電話機ＭＳ２において、キー６などによって携帯電話機ＭＳ１に対して、特定のコンテンツを携帯電話機ＭＳ１から携帯電話機ＭＳ２へ転送させるための操作がなされた場合（たとえば図６示した方法）、そのコンテンツ転送要求を行うためのセッション開始要求を前述の第１の通信方法によって管理部ＳＶを介して携帯電話機ＭＳ１へ要求する（Ｓ５０１、Ｓ５０２）。なお、セッション開始要求には、転送要求する旨の情報、携帯電話機ＭＳ２を識別するためのＩＤ（電話番号など）や、転送要求するコンテンツの情報（ファイル名以外の情報）のうちの一部または全部と、転送要求するコンテンツの情報（ファイル名）とが含まれている。
【００８０】
次に、携帯電話機ＭＳ１の制御部１０１は、無線通信部１０６を介して、当該セッション開始要求を受信したことを契機に、許可メンバ記憶部１０５ｂから、記憶されている許可メンバの情報を読み出して（Ｓ５０４）、セッション開始要求に含まれている要求元（ここでは携帯電話機ＭＳ２）の携帯電話機が許可メンバに含まれているか否かを判断する（Ｓ５０３）。
【００８１】
そして、許可メンバに含まれていないと判断した場合（Ｓ５０３、Ｎｏ）、要求側の携帯電話機ＭＳ２からのセッション要求を拒否すべく、セッション開始を拒否する旨の応答を管理部ＳＶを介して第１の通信方法によって要求側携帯電話機ＭＳ２に対して送信する（Ｓ５０５、Ｓ５０６）。
【００８２】
また、許可メンバに含まれていると判断した場合（Ｓ５０３、Ｙｅｓ）、電源制御部１０１ａに対して、電池残量の値を要求する（Ｓ４０１）。
【００８３】
以降の動作については、図１０に示したＳ４０１乃至Ｓ４１６の動作と同じであるため、その説明を省略する。
【００８４】
以上示した実施例は、これに限定されるものではない。趣旨を逸脱しない範囲で応用及び変更可能である。
【００８５】
以上示した実施例に拠れば、携帯電話機ＭＳ１側において、携帯電話機ＭＳ１のユーザが知らない間に電池残量がファイル転送によってなくなっているということが防止できるという効果がある。
【図面の簡単な説明】
【００８６】
【図１】本発明に係る携帯端末が適用されるシステムの構成図。
【図２】本発明に係る携帯端末の外観図。
【図３】本発明に係る携帯端末の外観図。
【図４】本発明に係る携帯端末の構成図。
【図５】本発明に係る携帯電話機ＭＳ１が別の携帯電話機ＭＳ２からデータ転送要求を受けた場合における第１の実施例のフローチャート。
【図６】本発明に係る携帯電話機ＭＳ１が別の携帯電話機ＭＳ２からファイルリスト要求を受けた場合における第２の実施例のフローチャート。
【図７】本発明に係る携帯電話機ＭＳ１が別の携帯電話機ＭＳ２からデータ転送要求を受けた場合における第３の実施例のフローチャート。
【図８】本発明に係る別の携帯電話機ＭＳ２が携帯電話機ＭＳ１に対して、データ転送を伴う発呼要求を行った場合における第４の実施例のフローチャート。
【図９】本発明に係る別の携帯電話機ＭＳ２が携帯電話機ＭＳ１に対して、データ転送を伴う発呼要求を行った場合における第５の実施例のフローチャート。
【図１０】本発明に係る携帯電話機ＭＳ１が別の携帯電話機ＭＳ２からデータ転送要求を受けた場合における第６の実施例のフローチャート。
【図１１】本発明に係る携帯電話機ＭＳ１が別の携帯電話機ＭＳ２からデータ転送要求を受けた場合における第７の実施例のフローチャート。
【図１２】本発明の第６の実施例におけるフローを説明する際に用いる図。
【符号の説明】
【００８７】
ＭＳ１、ＭＳ２  携帯電話機
ＢＳ１、ＢＳ２  基地局
ＮＷ１  携帯電話網
ＮＷ２  ネットワーク
ＳＶ  管理部
２  上筐体部
３  ヒンジ部
４  下筐体部
５  ディスプレイ
６  キー
７  サイドキー
８  マイク
９  レシーバ
１１ａ、１１ｂ、１１ｃ、１１ｄ  磁気センサ
【図１】
2008219274.tif 000003
【図２】
2008219274.tif 000004
【図３】
2008219274.tif 000005
【図４】
2008219274.tif 000006
【図５】
2008219274.tif 000007
【図６】
2008219274.tif 000008
【図７】
2008219274.tif 000009
【図８】
2008219274.tif 000010
【図９】
2008219274.tif 000011
【図１０】
2008219274.tif 000012
【図１１】
2008219274.tif 000013
【図１２】
2008219274.tif 000014